(57)【要約】【課題】不正開封を防止し、容易に開封および再封止ができる包装容器を提供することを課題とする。【解決手段】複数の側面を有する容器本体１０と、蓋部６０と、を備え、前記容器本体１０は、差し口部１３を有する側面を有し、前記蓋部６０は、前記差し口部１３に差込可能な差込部６３を有し、前記差込部６３は、差込片６３１と、前記差込片６３１を切り離し可能な切取部６３３と、を有し、前記差し口部１３は、差込口１３１と、前記差込片６３１が収容される収容部１３２と、を有する包装容器Ｃとする。さらに前記差込片６３１は、係止突起６３２を有し、前記差し口部１３は、前記係止突起６３２を係止可能な係止部１３３を有し、前記係止部１３３は、前記差込口１３１の上側に設けられる。【選択図】図１
2020152404.tif 000002
【特許請求の範囲】
【請求項１】
複数の側面を有する容器本体と、蓋部と、を備え、
前記容器本体は、差し口部を有する側面を有し、
前記蓋部は、前記差し口部に差込可能な差込部を有し、
前記差込部は、差込片と、前記差込片を切り離し可能な切取部と、を有し、
前記差し口部は、差込口と、前記差込片が収容される収容部と、を有する、包装容器。
【請求項２】
前記差込片は、係止突起を有し、
前記差し口部は、前記係止突起を係止可能な係止部を有し、
前記係止部は、前記差込口の上側に設けられている、請求項１に記載の包装容器。
【請求項３】
前記差し口部は、前記側面の内側に設けられ、
前記側面は、内外に貫通する開口部を有し、
前記切取部は、封緘状態において前記開口部内に設けられる、請求項１または請求項２に記載の包装容器。
【請求項４】
前記開口部は、前記側面上方に設けられる、請求項３に記載の包装容器。
【請求項５】
前記差し口部は、少なくとも一部が前記側面上端に連接可能な連接部と、前記側面に固定可能な固定部を有し、
前記固定部は、前記差し口部下方に設けられる、請求項１〜４の何れかに記載の包装容器。
【請求項６】
前記差し口部は、前記差込片を内外方向に支持可能な支持部を有し、
前記差込口は、前記差込片と同じ幅に形成され、
前記支持部は、前記切取部より下方に設けられる、請求項１〜５の何れかに記載の包装容器。
【請求項７】
前記容器本体は、側面フラップと、フラップ同士を接合可能な接合部と、を有し、
前記蓋部は、蓋フラップを有し、
前記接合部は、封緘状態において隣接する前記側面フラップと前記蓋フラップとの間に設けられる、請求項１〜６の何れかに記載の包装容器。
【発明の詳細な説明】
【技術分野】
【０００１】
本発明は、不正開封を防止可能な包装容器に関するものである。
【背景技術】
【０００２】
薬品や化粧品等の安全性や品質管理が重要とされる内容物を収容する包装容器は、不正に開封されることを防ぐことが重要となる。そこで開封されたかどうか一目でわかるように、開封時に包装容器の一部切り取って開封する機構を採用している包装容器が提案されている（例えば、特許文献１や特許文献２）。
【先行技術文献】
【特許文献】
【０００３】
【特許文献１】特開２０１５−２２９５１９号公報
【特許文献２】実用新案登録第３１０２８１１号公報
【発明の概要】
【発明が解決しようとする課題】
【０００４】
しかしながら、特許文献１や特許文献２に記載の包装容器は、開封の際に蓋部を一部切り取って開封する機構であるため、切り取った小片が手元や容器内部に落ちてごみとなる問題があった。また、商品を購入後は包装箱を開封した後に、再度その包装容器内で保管することもあるため再封止可能であることも重要であるが、特許文献１や特許文献２に記載の包装容器は、切取部を切り取ることにより再封止が困難となる問題があった。
【０００５】
本発明は、以上のような点を考慮してなされたものであり、不正開封を防止することができる包装容器を提供することを課題とする。
また、本発明は、容易に開封および再封止ができる包装容器を提供することを課題とする。
【課題を解決するための手段】
【０００６】
上記課題を解決するため、本発明では以下の手段を採用した。
本発明に係る包装容器は、複数の側面を有する容器本体と、蓋部と、を備え、前記容器本体は、差し口部を有する側面を有し、前記蓋部は、前記差し口部に差込可能な差込部を有し、前記差込部は、差込片と、前記差込片を切り離し可能な切取部と、を有し、前記差し口部は、差込口と、前記差込片が収容される収容部と、を有する。
【０００７】
本発明に係る包装容器によれば、差込片と切取部を有する差込部が設けられていることにより、不正開封されたことを検知可能でありかつ、簡単に開封することができる。また、差込部が設けられているため、開封後にも再封止可能である。さらに、差し口部に収容部が設けられていることにより、切り取られた差込片が容器内部や床等に散らばることを抑制することができる。
【０００８】
本発明の好ましい形態では、前記差込片は、係止突起を有し、前記差し口部は、前記係止突起を係止可能な係止部を有し、前記係止部は、前記差込口の上側に設けられている。
このように、差込片に係止突起を設け、差し口部に係止部を設けることにより差込部を不可逆に差し込むことができる。すなわち、一度差し口部に差込部を差し込むと抜けなくなる。
【０００９】
本発明の好ましい形態では、前記差し口部は、前記側面の内側に設けられ、前記側面は、内外に貫通する開口部を有し、前記切取部は、封緘状態において前記開口部内に設けられる。
このように、差し口部を側面の内側に設けることにより、デザイン性のある包装容器となる。また、側面に開口を設けることにより切取部を視認可能となるため簡単に開封することができる。
【００１０】
本発明の好ましい形態では、前記開口部は、前記側面上方に設けられる。
このように、開口部を側面上方に設けることにより、差込部と差し口部の長さを短く形成することが可能となるため、使用材料を抑えることができる。
【００１１】
本発明の好ましい形態では、前記差し口部は、少なくとも一部が前記側面上端に連接可能な連接部と、前記側面に固定可能な固定部を有し、前記固定部は、前記差し口部下方に設けられる。
このように、差し口部が連接部と固定部を有することにより、差し口部を側面側に折り畳んで固定可能となる。すなわち、包装容器を一枚の厚紙（包装容器の材料）から形成することができる。
【００１２】
本発明の好ましい形態では、前記差し口部は、前記差込片を内外方向に支持可能な支持部を有し、前記差込口は、前記差込片と同じ幅に形成され、前記支持部は、前記切取部より下方に設けられる。
このように、差し口部が内外方向に差込片を支持する支持部を有していることにより、切取部を押し込んで切り話す際に、切取部を切り離しやすくすることができる。
【００１３】
本発明の好ましい形態では、前記容器本体は、側面フラップと、フラップ同士を接合可能な接合部と、を有し、前記蓋部は、蓋フラップを有し、前記接合部は、封緘状態において隣接する前記側面フラップと前記蓋フラップとの間に設けられる。
このように、容器本体に側面フラップ、蓋部に蓋フラップが設けられ、それらのフラップ同士が接合部により接合されることにより、異物混入や虫等の侵入を抑制することができる。
【発明の効果】
【００１４】
開示した技術によれば、不正開封を防止し、容易に開封および再封止ができる包装容器を提供することができる。
【００１５】
他の課題、特徴及び利点は、図面及び特許請求の範囲とともに取り上げられる際に、以下に記載される発明を実施するための形態を読むことにより明らかになるであろう。
【図面の簡単な説明】
【００１６】
【図１】本発明の一実施形態に係る包装容器の展開図である。
【図２】本発明の一実施形態に係る包装容器の斜視図である。
【図３】本発明の一実施形態に係る包装容器の斜視図である。
【図４】本発明の一実施形態に係る包装容器において差込部が差し口部に差し込まれる状態を説明する説明図である。
【図５】本発明の一実施形態に係る包装容器の開封手順を説明する説明図である。
【発明を実施するための形態】
【００１７】
以下、本発明を図面に示した好ましい一実施形態に係る包装容器について、図１〜図５を参照して詳細に説明する。本発明の技術的範囲は、添付図面に示した実施形態に限定されるものではなく、特許請求の範囲に記載された範囲内において、適宜変更が可能である。
【００１８】
図１〜図３は本実施形態に係る包装容器Ｃの構成を説明する図である。図１は組み立て前の包装容器Ｃの展開図である。図２は組み立て後の包装容器Ｃを斜め上方から観察した斜視図であり、図３は組み立て後の包装容器Ｃを斜め下方から観察した斜視図である。
本実施形態に係る包装容器Ｃは、一枚の厚紙から容易に組立てることができる。なお、包装容器Ｃに使用する紙の種類は特に限定しておらず、例えばカード紙、クラフト紙、ブランク紙、ボール紙、ミルクカートン紙等を例示することができる。
【００１９】
本発明の一実施形態に係る包装容器Ｃは、図１〜図３に示すように容器本体１０と蓋部６０とを備えている。容器本体１０は、第一側面１と、第二側面２と、第三側面３と、第四側面４と、底部５と、を有している。
すなわち、本実施形態の包装容器Ｃは４つの側面を有する略直方体である。なお、包装容器Ｃの形状は直方体に限らず、少なくとも３つの側面と底面と蓋とを有する立体に形成されていれば良い。
【００２０】
本実施形態では図２および図３に示すようにＸ軸に沿って幅方向を定め、Ｙ軸方向に沿って長さ方向を定める。すなわち、幅方向は第四側面４から第二側面２（または第二側面２から第四側面４）に向かう方向であり、長さ方向は第一側面１から第三側面３（または第三側面３から第一側面１）に向かう方向である。また、Ｚ軸に沿って高さ方向を定め、蓋部６０側を上側とし、底部５側を下側と定める。
【００２１】
第一側面１は、内外に貫通する開口部１１と、第一側面１と第四側面４とを張り合わせるための側面内貼り部１２と、差し口部１３と、を有している。第一側面１は、図２および図３に示す組立状態において第二側面２と第四側面４と蓋部６０と底部５とに隣接した面であり、図１に示す展開状態では、上部に差し口部１３が連接され、下部には底部外フラップ５１が連接されている。
【００２２】
また、側面内貼り部１２との間、第二側面２との間、底部外フラップ５１との間には折線ＦＬが設けられており、この折線ＦＬで折り曲げる（本実施形態の場合は直角）ことにより組み立てられる。差し口部１３との間には後述する連接部１３４が設けられており、折線ＦＬと同様に折り曲げることができる。
【００２３】
開口部１１は、第一側面１の幅方向における中央に設けられる。設けられる高さに特に決まりは設けていないが、上方に設けられていることにより、使用する厚紙を削減することができる。
【００２４】
差し口部１３は、差込口１３１と、収容部１３２と、係止部１３３と、連接部１３４と、固定部１３５と、支持部１３６と、差口開口部１３７と、を有する。以下に、差し口部１３の構成を図１用いて説明する。なお、差し口部１３の説明における上下方向は組立状態（図２または図３）における上下方向を用いる。
【００２５】
差込口１３１は、本実施形態において差し口部１３の中央付近に設けられ、スリットにより後述する差込片６３１を差し込むことができるように形成されている。また、差込口１３１の下方には、差込片６３１を収容可能な収容部１３２が設けられている。
【００２６】
また、差込口１３１の上側には差し込まれた差込片６３１を係止可能な係止部１３３が設けられ、差込片６３１の形状に合わせて両側に形成されている。係止部１３３を設けることにより差込部６３を不可逆に差し込むことができる。すなわち、一度差し込むと抜けなくなる構成である。
【００２７】
また、差込口１３１は、差込片６３１と同じ幅か差込片６３１の幅以上に形成されることが好ましい。なお、差込片６３１の差込易さおよび差込後の安定感を考慮すると、差込片６３１の幅に近い幅に形成されることが好ましい。
【００２８】
差し口部１３は、少なくとも一部が連接部１３４により第一側面１の上部に連接され、折線ＦＬと同様に折り曲げることができる。また、差し口部１３の下方には固定部１３５が設けられ、連接部１３４を内側に折り曲げて第一側面１の内側に固定することができる。このようにして、収容部１３２が形成される。なお、差し口部１３は容器の外側に向けて折り曲げても良いが、包装容器Ｃのデザイン性を鑑みると内側に折り曲げることが好ましい。
【００２９】
また、本実施形態において固定部１３５は、接着剤により固定することが想定されている。なお、本実施形態では、固定部１３５を２ヶ所設けた例を示しているが、差込片６３１が落下しないように収容部１３２を形成可能に設ければ１か所でも複数個所でも良い。本実施形態のように、収容部１３２の下方および両側を固定する際には、第一側面１と差し口部１３との間に隙間ができないように固定することが好ましく、このように固定することにより差込片６３１を落下させずに収容部１３２に収容することができる。また、固定部１３５の固定方法は、接着剤による接着以外にも粘着テープ等様々な方法を適用することができる。
【００３０】
支持部１３６は、差込片６３１を切り取る際に差込片６３１を裏側から内外方向に支えて、容易に切り取ることが可能にするために設けられたものである。すなわち、封緘状態において、後述する切取部６３３よりも下方に位置する。支持可能な面積が大きいほどより簡単に切取部６３３を切取可能となるため、略直線部分を有する半楕円形状に形成されている。なお、この支持部１３６は、必須の構成ではないが、設けることにより、簡単に開封することができる。
【００３１】
差し口部１３は、連接部１３４により折り曲げられて形成するため、第一側面１の一部は二重に形成される。また、第一側面１には開口部１１が設けられており、内外に貫通しているため差し口部１３の上方にも同様に内外に貫通する差口開口部１３７が設けられる。
【００３２】
本実施形態において差口開口部１３７は、上端部から設けられているが、第一側面１に設けられる開口部１１に対応する位置に形成されていれば形や位置等は自由に決めて良い。すなわち少なくとも開口部１１の位置に同様の面積は開口していることが必要となる。本実施形態では、連接部１３４の間に設けられている。
【００３３】
差口開口部１３７は、差込口１３１よりも幅狭に形成され、差込口１３１まで繋がって形成されていることが好ましく、このように繋がった状態で幅狭に形成することにより、係止部１３３を簡単に形成することができる。
【００３４】
第二側面２は、側面フラップ２１を有している。図２および図３に示す組立状態において第一側面１と第三側面３と蓋部６０と底部５とに隣接した面であり、図１に示す展開状態では、上部に側面フラップ２１が連接され、下部には底部内フラップ５２が連接されている。
また、第一側面１との間、第三側面３との間、側面フラップ２１との間、底部内フラップ５２との間には、折線ＦＬが設けられている。
【００３５】
第三側面３は、図２および図３に示す組立状態において第二側面２と第四側面４と蓋部６０と底部５とに隣接し、図１に示す展開状態では、上部に蓋部６０が連接され、下部には底部外フラップ５３が連接されている。
また、第二側面２との間、第四側面４との間、蓋部６０との間、底部外フラップ５３との間には、折線ＦＬが設けられている。
【００３６】
第四側面４は、側面フラップ４１を有している。図２および図３に示す組立状態において第三側面３と第一側面１と蓋部６０と底部５とに隣接し、図１に示す展開状態では、上部に側面フラップ４１が連接され、下部には底部内フラップ５４が連接されている。
また、第三側面３との間、側面フラップ４１との間、底部内フラップ５４との間には、折線ＦＬが設けられている。
【００３７】
組立時に第四側面４の内側には、側面内貼り部１２が接続される。側面内貼り部１２の接続方法は、接着剤による接着や、テープ等を使用する方法等、様々な方法から選択することができる。
【００３８】
底部５は、底部外フラップ５１と底部内フラップ５２と底部外フラップ５３と底部内フラップ５４とを組み合わせて構成される。底部外フラップ５１および底部外フラップ５３とには、底部内貼り部５５および底部内貼り部５６とが設けられており、底部内貼り部５５の下側に底部内フラップ５２が接続され、底部内貼り部５６の下側に底部内フラップ５４が接続される。これらの接続方法は、側面内貼り部１２の接続方法と同様に、接着剤やテープ等の様々な方法を使用することができる。
【００３９】
また、底部５は図３に示すように底部内フラップ５２と底部内フラップ５４とを内側にして底部外フラップ５１と底部外フラップ５３とで上下交互に組み合わせることにより形成される。底部５は本実施形態においてはフラップを組み合わせて形成している例を示しているが、実際に作る際には、底部５から開封されないように、または開封したことが確認可能に形成されればよいため、蓋部６０のように一枚の面から形成することもできる。
【００４０】
なお、一枚の面から形成するためには、蓋部６０のように何れかの側面に差し込む部分等が必要となり、不正開封を防止するために工夫と手間がかかるため、本実施形態のようにフラップにより形成することで製作に費用や時間等を削減することができる。
【００４１】
蓋部６０は、蓋フラップ６１および蓋フラップ６２と、差し口部１３に差し込まれる差込部６３と、を有している。
蓋部６０は、図１に示すように第三側面３に連接され、蓋部６０と第三側面３との間に設けられた折線ＦＬを軸として回動可能に接続されている。
【００４２】
また、組立時に第二側面２に接する辺には蓋フラップ６１が連接され、第四側面４に接する辺には蓋フラップ６２が連接されている。さらに組立時に第一側面１に接する辺には、差込部６３が連接されている。また、蓋フラップ６１との間、蓋フラップ６２との間、差込部６３との間には折線ＦＬが設けられている。
【００４３】
容器本体１０は、フラップ同士を接合可能な接合部ＦＰを有していても良い。
本実施形態では、蓋フラップ６１と側面フラップ２１とは、接合部ＦＰにより接合されている。接合部ＦＰは、分離部ＳＰと結合部ＣＬとにより構成されており、図１のような展開状態において第二側面２と第三側面３と蓋部６０とに接する頂点Ｖから４５°方向に設けられている。なお、本実施形態において接合部ＦＰは蓋フラップ６１と側面フラップ２１の接合に用いられたが、他のフラップを接合することも当然にできる。
【００４４】
本実施形態で結合部ＣＬは、ミシン目として設けられるが、切取目的ではなく折り曲げやすく、開閉し易くするためである。すなわち、蓋部６０を封緘する際には、蓋フラップ６１と側面フラップ２１とが接合部ＦＰ部分で折り曲げられて、容器内に収容される。
同様に、蓋フラップ６２と側面フラップ４１との間にも接合部ＦＰが設けられている。
【００４５】
分離部ＳＰは頂点Ｖ側に設けられ、接合部ＦＰの真ん中あたりで結合部ＣＬに接続している。なお、蓋フラップ６１（蓋フラップ６２）と側面フラップ２１（側面フラップ４１）は接合されていれば良いため、折線ＦＬのように切取しないことを前提として折れ線を設けても良いし、全てを結合部ＣＬとしても良い。なお、本実施形態のように分離部ＳＰと結合部ＣＬとを組み合わせて設けることにより、折り曲げが容易になる利点を有する。分離部ＳＰは、切り離さないことを想定しているが、蓋部６０を大きく開閉したい場合等には切り離しても良く、切り離すことにより大きく蓋部６０を回動させることができる。
【００４６】
また、差込部６３は、差し口部１３、特に差込口１３１に差し込まれる差込片６３１と、差込片６３１に設けられる係止突起６３２と、差込片６３１を差込部６３から切り離し可能な切取部６３３と、切り離す際に指で押すための押部６３４と、再封止を可能とする差込フラップ６３５と、を有する。
【００４７】
差込片６３１は、差込部６３の先端側、すなわち差込部６３の自由端側に設けられる。この差込片６３１は、差込口１３１に差し込まれ、収容部１３２に収容される。
差込片６３１は、差込口１３１に不可逆に差込可能とするための係止突起６３２を有しており、係止部１３３に係止突起６３２が係止されて蓋部６０が封緘される。
【００４８】
係止突起６３２は、包装容器Ｃの幅方向に突出する突起であり、差込片６３１に左右対称に設けられる。係止突起６３２は、包装容器Ｃの幅方向に突出する突起に形成されていれば、大きさ等は自由に決めることができる。なお、突出量が大きいほど、係止力は増す。
【００４９】
図４は、差し口部１３に差込部６３が差し込まれる様子を示す説明図であり、第一側面１と差し口部１３と差込片６３１とが示されている。なお、図４は説明のため差込片６３１のみが示されているが、開封前は当然に蓋部６０が連結されている。
【００５０】
図４（ａ）は、差込片６３１が差し込まれる前の状態を示し、図４（ｂ）は、差込片６３１を差し込むために差込口１３１が開かれた状態を示す。まず、図４（ｂ）に示すように、差込口１３１を広げる。実際に包装容器Ｃを封止する際には、支持部１３６を外側から押すことで、簡単に差込口１３１を広げることができる。
【００５１】
次に図４（ｃ）に示すように、差込片６３１を係止突起６３２が差込口１３１に完全に入るまで差し込む。その後、図４（ｄ）に示すように差込口１３１を閉じて、差込片６３１を固定する。この時、係止部１３３が係止突起６３２の上側に配置されていることを確認する。
係止部１３３と係止突起６３２が同一平面上に設けられる、すなわち同じ高さに設けられることにより、差込片６３１を開封方向に引っ張った場合にも、係止突起６３２が係止部１３３に係止されるため開封方向に固定される。
【００５２】
切取部６３３は、差込片６３１を差込部６３から切り離し可能に形成される。切取部６３３は、差込片６３１と差込フラップ６３５との間に設けられる、すなわち、差込片６３１と差込フラップ６３５とを切り離し可能である。また、指で押し開けるように使用する（押部６３４）ため、指の形状に合わせて上に凸な略半円状に形成されている。なお、本実施形態に示したような上に凸な略半円状に限らず、他の上に凸な形状（例えば略半台形や略半長方形等）や、略直線上等の様々形状を選択することができる。
【００５３】
押部６３４は、前述したように切取部６３３を切り取るために押す部分であり、差込片６３１上部に設けられる。なお、開封者は開口部１１および差口開口部１３７に指を挿通して押部６３４を押すこととなるため、切取部６３３と押部６３４とは、封緘状態において開口部１１内に設けられる。切取部６３３は、開口部１１の上縁に沿った位置に設けられていても良いが、少なくとも押部６３４は、開封者の指で押すことができる面積が開口部１１から視認可能である必要がある。
【００５４】
また、蓋部６０の封緘性を向上させるため、差込片６３１と押部６３４との間に折線ＦＬを設けて少し折り曲げてから差込片６３１を差込口１３１に差し込んでも良い。
【００５５】
ここで、図５を用いて本実施形態に係る包装容器Ｃの開封方法を説明する。
まず始めに図５（ａ）に示すように、開封者は指で押部６３４を押し込み、切取部６３３を切り離す。図５（ｂ）に示すように切取部６３３を切り離すことにより、蓋部６０が簡単に開封する。ここで、側面フラップ２１（側面フラップ４１）と蓋フラップ６１（蓋フラップ６２）との間に設けられる接合部ＦＰを切り離すこともできる。
【００５６】
差込フラップ６３５は、差込片６３１が切り離された後にも第一側面１内側に差し込み、包装容器Ｃを再封止するために設けられている。差込フラップの長さは、開口部１１が設けられる高さにより適宜調整され、切取部６３３および押部６３４が開口部１１の位置に設けられる長さに形成する。
【００５７】
以上のように、本発明に係る包装容器によれば、差込口１３１と収容部１３２を第一側面１に有し、蓋部６０に差込片６３１と切取部６３３を有することにより、切取部６３３を切り離して簡単に開封可能であり、また不正開封を一目で確認することができる。そのため、陳列された商品に対するいたずら防止効果も有する。さらに、切り離された差込片６３１は、収容部１３２に収容されるため、床や箱内部に散らばることを抑制することができる。
また、差し口部１３に係止部１３３を設け、差込片６３１に係止突起６３２を設けることにより、差込片６３１を不可逆に差し込むことが可能となり、一度差し込むと切取部６３３を切り取らない限り開かなくなる。
【００５８】
また、差込部６３に差込フラップ６３５を設けることにより、差込片６３１が切り取られた後も差し込む部分を有するため、開封した後にも簡単に再封止することができる。
【００５９】
また、第一側面１に開口部１１を設けて差し口部１３を第一側面１の内側に固定することにより、開口部１１から切取部６３３と押部６３４を確認可能となるため、簡単に開封することができ、かつ包装容器Ｃの外面には開口部１１のみが設けられるため、様々なデザインを施すことができる。
【００６０】
また、側面フラップ２１（側面フラップ４１）と蓋フラップ６１（蓋フラップ６２）を設けてそれらを接合部ＦＰで連結することにより、側面からの異物混入や虫などの侵入を抑制することができる。
【００６１】
また、差し口部１３を連接部１３４により第一側面１に連接させて、折り曲げて設けることにより、一枚の厚紙（包装容器Ｃの任意の材料）から包装容器Ｃを形成することができ、材料の削減や切り出し時間等を節約することができ、製函も容易に行うことができる。さらに、貼り付け面も少ないことからより、製函が容易である。
【００６２】
また、差し口部１３に支持部１３６を設けることにより、差込片６３１を裏面から支持して簡単に切取部６３３を切取可能とするだけでなく、封緘する際に差込部６３を差込易くする効果を有する。すなわち、支持部１３６を押すことにより差込口１３１を広げることができるため、簡単に差込部６３を差し込むことができる。また、切取部６３３が切り離されることにより開封されることが明瞭であるため、陳列状態においていたずらに不正開封されることを抑制することができる。すなわち、不正開封の防止や、いたずら抑制効果を有する。
【符号の説明】
【００６３】
Ｃ  包装容器
ＦＰ  接合部
１  第一側面
１０  容器本体
１１  開口部
１３  差し口部
６０  蓋部
６３  差込部
１３１  差込口
１３２  収容部
１３３  係止部
１３４  連接部
１３５  固定部
１３６  支持部
６３１  差込片
６３２  係止突起
６３３  切取部
【図１】
2020152404.tif 000003
【図２】
2020152404.tif 000004
【図３】
2020152404.tif 000005
【図４】
2020152404.tif 000006
【図５】
2020152404.tif 000007